(57)【要約】【課題】  液晶表示器のバックライトの消費電力を低減したり、或いは、カメラ付き携帯電話機にはカメラ用のフラッシュライトを有するものがあるが、この場合のフラッシュライトの消費電力を低減する等消費電力の低減には改良の余地がある。【解決手段】  バックライト８の通常使用時の輝度を設定し、カメラ１０の撮影時にはバックライト８の輝度を設定された通常使用時の輝度よりも大きくするように制御する。また、折り畳み式携帯電話機において上側と下側ベースが閉じている時と開いている時とでフラッシュライト１４の照度を切り替える。更に、フラッシュライト１４を懐中電灯として使用する時には、フラッシュライト１４の照度を調整する。【選択図】        図２
2005130111.tif 000002
【特許請求の範囲】
【請求項１】
被写体を撮影するカメラと、前記カメラによる撮影画像を表示する液晶表示器と、前記液晶表示器の裏面を照明するバックライトと、前記バックライトの通常使用時の輝度を設定する設定手段と、前記カメラの撮影時に前記バックライトの輝度を前記設定手段で設定された通常使用時の輝度よりも大きくするように制御する制御手段とを備えたことを特徴とするカメラ付き携帯電話機。
【請求項２】
前記制御手段は、前記設定手段で設定された通常使用時の輝度が最大輝度である時は、前記カメラ撮影時の輝度をそのままの輝度とすることを特徴とする請求項１に記載のカメラ付き携帯電話機。
【請求項３】
前記設定手段は、複数段階の輝度のうち選択された輝度を記憶手段に記憶させることによって前記バックライトの通常使用時の輝度を設定することを特徴とする請求項１又は２に記載のカメラ付き携帯電話機。
【請求項４】
被写体を撮影するカメラと、前記カメラ用のフラッシュライトと、自分を撮影するのか、自分以外を撮影するのかを検出する手段と、前記検出手段の検出結果に基づいて自分を撮影する場合には、前記フラッシュライトの照度を自分以外を撮影する場合に比べて小さく設定する手段とを備えたことを特徴とするカメラ付き携帯電話機。
【請求項５】
被写体を撮影するカメラと、前記カメラ用のフラッシュライトとを有する折り畳み式携帯電話機において、折り畳み式のベースの開閉を検出する手段と、前記検出手段の検出結果に基づいて前記ベースが閉じている時と開いている時とで前記フラッシュライトの照度を切り替える手段とを備えたことを特徴とするカメラ付き携帯電話機。
【請求項６】
前記切り替え手段は、前記ベースが閉じている時は、前記ベースが開いている時よりも前記フラシュライトの照度を小さくすることを特徴とする請求項５に記載のカメラ付き携帯電話機。
【請求項７】
被写体を撮影するカメラと、前記カメラ用のフラッシュライトと、前記フラッシュライトを懐中電灯として使用するかフラッシュライトとして使用するかを切り替える手段と、前記フラッシュライトを懐中電灯として使用する時にフラッシュライトの照度を調整する手段とを備えたことを特徴とするカメラ付き携帯電話機。
【請求項８】
前記調整手段は、前記フラッシュライトの照度を予め設定された最も小さい最小照度から上昇させて最適照度に調整することを特徴とする請求項７に記載のカメラ付き携帯電話機。
【発明の詳細な説明】
【技術分野】
【０００１】
本発明は、携帯電話機に関し、特に、カメラ付き携帯電話機の消費電力を低減する省電力化技術に関するものである。
【背景技術】
【０００２】
現在、携帯電話機は益々高機能化が進められているが、その反面消費電力が大きくなり、電池寿命が短くなってきている。そこで、携帯電話機の消費電力を低減するため、様々な省電力化技術が提案されている。
【０００３】
例えば、特開２００３−１２５２４１号公報には、周囲の明るさに応じて液晶パネルを照明するＬＣＤ照明手段が補助光のフラッシュ手段と連動して光を照射するように制御することにより、カメラ本体の電池の使用時間を長くすることが記載されている（特許文献１参照）。また、特開２００２−２７７９２１号公報には、被写体に応じてストロボ発光量を変えることが記載されている（特許文献２参照）。
【特許文献１】特開２００３−１２５２４１号公報（段落００２２、００２６〜００２７等）
【特許文献２】特開２００２−２７７９２１号公報（段落００１２〜００１３等）
【発明の開示】
【発明が解決しようとする課題】
【０００４】
特許文献１や特許文献２の方法では、消費電力を低減することは可能であるが、携帯電話機の消費電力を低減するには更に改良の余地があった。例えば、液晶表示器のバックライトの消費電力を低減したり、或いは、カメラ付き携帯電話機にはカメラ用のフラッシュライトを有するものがあるが、この場合のフラッシュライトの消費電力を低減したり、更には、フラッシュライトを懐中電灯として使用することが考えられるが、この場合の消費電力を低減する等、省電力化の余地が残されていた。
【０００５】
本発明は、上記従来の事情に鑑みなされたもので、その目的は、更に低消費電力化が可能な携帯電話機を提供することにある。
【課題を解決するための手段】
【０００６】
本発明は、上記目的を達成するため、被写体を撮影するカメラと、前記カメラによる撮影画像を表示する液晶表示器と、前記液晶表示器の裏面を照明するバックライトと、前記バックライトの通常使用時の輝度を設定する設定手段と、前記カメラの撮影時に前記バックライトの輝度を前記設定手段で設定された通常使用時の輝度よりも大きくするように制御する制御手段とを備えたことを特徴とする。
【０００７】
また、本発明は、被写体を撮影するカメラと、前記カメラ用のフラッシュライトと、自分を撮影するのか、自分以外を撮影するのかを検出する手段と、前記検出手段の検出結果に基づいて自分を撮影する場合には、前記フラッシュライトの照度を自分以外を撮影する場合に比べて小さく設定する手段とを備えたことを特徴とする。
【０００８】
また、本発明は、被写体を撮影するカメラと、前記カメラ用のフラッシュライトとを有する折り畳み式携帯電話機において、折り畳み式のベースの開閉を検出する手段と、前記検出手段の検出結果に基づいて前記ベースが閉じている時と開いている時とで前記フラッシュライトの照度を切り替える手段とを備えたことを特徴とする。
【０００９】
更に、本発明は、被写体を撮影するカメラと、前記カメラ用のフラッシュライトと、前記フラッシュライトを懐中電灯として使用するかフラッシュライトとして使用するかを切り替える手段と、前記フラッシュライトを懐中電灯として使用する時にフラッシュライトの照度を調整する手段とを備えたことを特徴とする。
【発明の効果】
【００１０】
本発明によれば、液晶表示器のバックライトの通常使用時の輝度を設定し、カメラ撮影時にはバックライトの輝度を通常使用時の輝度よりも大きくすることにより、カメラ撮影時には液晶表示器の画像を明るく表示できると共に、バックライトの消費電力を低減することができる。また、フラッシュライトの照度を被写体に応じて最適に調整することにより、同様にフラッシュライトの消費電力を低減することができる。更に、フラッシュライトを懐中電灯として使用する際に、フラッシュライトの照度を調整することにより、同様にフラッシュライトの消費電力を低減することができる。
【発明を実施するための最良の形態】
【００１１】
次に、発明を実施するための最良の形態について図面を参照して詳細に説明する。
【００１２】
（第１の実施形態）
図１は本発明による携帯電話機の第１の実施形態を示すブロック図である。図１において、１はＣＰＵ（中央演算処理装置）であり、ＲＯＭ９に格納された制御プログラムに従って装置全体の制御を行う。また、３はアンテナ、４は無線部、５はモデムであり、これらの構成要素によって無線通信ブロックが構成されている。無線通信ブロックからの無線データはアンテナ３を通して携帯電話基地局（図示せず）に接続され、音声データ等様々なデータを送受信することが可能である。
【００１３】
また、６は各種データや画像を表示するＬＣＤ表示部、７はＬＣＤ表示部６を制御するＬＣＤ制御部であり、これらのＬＣＤ表示部６とＬＣＤ制御部７によって表示ブロックが構成されている。８はＬＣＤ表示部６の裏面を照明するバックライト、９はバックライト８の輝度を制御する輝度制御部である。バックライト８の通常使用時の輝度は、ユーザーが設定することが可能でＲＯＭ９に通常使用時の輝度が格納されている。
【００１４】
１０は撮像素子やレンズ等から構成された被写体を撮影するカメラ、１１はカメラ１０を制御するカメラ制御部である。カメラ１０で撮影された画像データはカメラ制御部１１を通してデータ変換され、ＬＣＤ制御部７の制御によってＬＣＤ表示部６上に表示される。また、ＲＯＭ９にはカメラ１０の画像データ等の様々なユーザーデータも格納され、ＲＡＭ２はワークエリアとして使用される。なお、図１ではスピーカ、マイクロフォン等のその他の携帯電話機に必要な構成要素に関しては省略している。また、ＬＣＤ表示部やカメラに関しては複数のＬＣＤ表示部やカメラを備えた構成でも構わない。
【００１５】
次に、本実施形態の動作を図２のフローチャートを用いて説明する。始めに、上述のようにバックライト８の輝度（明るさ）、即ちＬＣＤ表示部６の輝度は複数段階に設定可能であるが、説明の都合上３段階に設定するものとする。もちろん、それ以上の段階の輝度設定を行っても構わない。まず、ＣＰＵ１は図示しない操作部からの入力によりユーザーがバックライト８の通常使用時の輝度を設定するかどうかを判断する（Ｓ２０１）。
【００１６】
通常使用時の輝度を設定する場合には、ユーザーが選択したレベルを設定する（Ｓ２０２）。通常使用時の輝度を設定する場合には、上述のようにレベル１〜レベル３の３段階のうちいずれか１つの輝度を選択可能である。ここで、輝度レベル１はＬＣＤ輝度が低い(暗い)状態であり、輝度レベル２はＬＣＤ輝度が中程度の状態であり、輝度レベル３はＬＣＤ輝度が高(最も明るい)状態を表わす。
【００１７】
ＣＰＵ１はユーザーによって設定された輝度レベルをＲＯＭ９に格納する。即ち、輝度レベル＝１が設定されると通常設定１と記憶させ（Ｓ２０３）、輝度レベル＝２と設定されると通常設定２と記憶させ（Ｓ２０４）、輝度レベル＝３と設定されると通常設定３とそれぞれＲＯＭ９に記憶させる（Ｓ２０５）。輝度レベル＝１は最も消費電力が少ない状態、輝度レベル＝３は最も消費電力が大きい状態である。
【００１８】
つまり、ユーザーが消費電力を気にせず、常に最も明るいＬＣＤ輝度状態を保ちたい場合には、輝度レベル＝３に設定し、消費電力を気にする場合には、輝度レベル＝１、或いは輝度レベル＝２と設定する。尚、ユーザーが特に通常使用時のＬＣＤ輝度を設定しない場合には、中程度の輝度レベル＝２に設定する（Ｓ２０６）。
【００１９】
次に、Ｓ２０３で消費電力優先の通常使用時の輝度レベル＝１に設定された状態で、カメラ１０の撮影を行うカメラモードが設定された場合には（Ｓ２０７）、ＣＰＵ１はＬＣＤ表示部６にカメラ撮影時の画像が暗く映し出される為、バックライト８の輝度を最も明るい輝度レベル＝３に変更する（Ｓ２０８）。カメラ１０の撮影が終了すると（Ｓ２０９）、輝度レベルをもとの輝度レベル＝１に戻し（Ｓ２１０）、処理を終了する。
【００２０】
また、Ｓ２０４又はＳ２０６で通常使用時の輝度レベル＝２に設定された状態で、カメラモードが設定された場合には（Ｓ２１１）、同様にＣＰＵ１はバックライト８の輝度を最も明るい輝度レベル＝３に変更する（Ｓ２１２）。カメラモードが終了すると（Ｓ２１３）、輝度レベルをもとの輝度レベル＝２に戻し、処理を終了する（Ｓ２１４）。
【００２１】
更に、Ｓ２０５で通常使用時の輝度が最も明るい輝度レベル＝３に設定された状態で、カメラモードが設定された場合には（Ｓ２１５）、カメラ撮影時も十分明るく画像が映し出されるので、バックライト８の輝度は輝度レベル＝３をそのまま維持する（Ｓ２１６）。カメラモードが終了すると（Ｓ２１７）、輝度レベル＝３はそのままとする（Ｓ２１８）。
【００２２】
本実施形態では、通常使用時のＬＣＤ輝度を複数段階に設定可能とし、ユーザーが消費電力を重視してバックライト８の通常使用時の輝度を暗く設定しても、カメラ撮影時には明るい輝度に変更するため、低消費電力化が可能であり、また、カメラ撮影時には最適な輝度で画像を表示することができる。
【００２３】
（第２の実施形態）
図３は本発明の第２の実施形態を示すブロック図である。本実施形態では、フラッシュライト及びカメラ付き携帯電話機において、フラッシュライトを使用してカメラの撮影を行う場合、自分を撮影する時と、自分以外を撮影する時とを区別し、その時々に応じてフラッシュライトの明るさ（照度）を最適に調整することで消費電力化を行う。なお、図３では図１と同一部分は同一符号を付して説明を省略する。
【００２４】
カメラ撮影モード検出部１３は、カメラ撮影時に自分自身（撮影者）を撮影しているのか、自分以外を撮影しているのかを検出する手段である。１４はカメラ１０用のフラッシュライトであり、フラッシュライト１４の照度はフラッシュライト制御部１５の制御により複数段階の照度に調節可能である。その他の構成は図１と同様である。
【００２５】
図４は本実施形態の動作を説明するフローチャートである。図４において、まず、カメラ１０を用いて撮影するカメラモードであるかどうかを判断する（Ｓ４０１）。カメラモードである場合には、フラッシュライト１４を使用するかどうかを判断し（Ｓ４０２）、フラッシュライト１４を使用する場合には、カメラ撮影モード検出部１３の検出結果に基づいて自分自身を撮影しているのか、自分以外を撮影しているのかを判断する（Ｓ４０３）。
【００２６】
ここで、カメラ１０で自分自身を撮影している場合には、カメラ１０から被写体までの距離が近い為、フラッシュライト１４の照度が低くても十分な明るさであり、ＣＰＵ１はフラッシュライト制御部１５を制御し、フラッシュライト１４の照度を低く設定する（Ｓ４０４）。こうすることで、フラッシュライト１４の消費電力を抑えるようにする。その後、カメラ１０の撮影を行う（Ｓ４０５）。
【００２７】
一方、自分以外を撮影していると検出された場合には、自分自身を撮影する場合に比べてカメラ１０から被写体までの距離が遠くなる為、ＣＰＵ１はフラッシュライト１４の照度をＳ４０４の自分自身を撮影する場合に比べて明るく設定する（Ｓ４０６）。その後、カメラ１０の撮影を行う（Ｓ４０５）。また、Ｓ４０２でフラッシュライト１４を使用しない場合には、そのままカメラ１０の撮影を行う（Ｓ４０５）。
【００２８】
尚、カメラ撮影モード検出部１３のカメラ撮影時に自分自身を撮影しているのか、自分以外を撮影しているのかを検出する方法としては、例えば、折り畳み式携帯電話機において上側ベース（筐体）と下側ベース（筐体）がヒンジ部を中心に開閉するが、この開閉によって検出する方法がある。図５はこの折り畳み式携帯電話機の場合のブロック図を示す。図３と同一部分は同一符号を付している。
【００２９】
開閉検出部１６は図示しない上側ベース（筐体）と下側ベース（筐体）の開閉を検出する検出部である。この場合には、ＣＰＵ１は開閉検出部１６により上側と下側のベースが閉じていると検出された時には、自分自身を撮影し、上側と下側のベースが開いていると検出された時には、自分以外を撮影していると検出する。
【００３０】
即ち、折り畳み式携帯電話機においてカメラ１０を用いて人物や景色等の被写体を撮影する場合には、上側と下側のベースを開くとその内側に配置されたＬＣＤ表示部６に画像が表示されるため、撮影者はそれを確認して撮影を行う。そのため、本実施形態では、上側と下側のベースを開いている状態では自分以外を撮影していると判断し、反対に上側と下側のベースが閉じている状態では自分を撮影していると判断する。なお、上側と下側のベースを開いている状態でも自分を撮影することは可能であるが、ＬＣＤ表示部６の画像を撮影者は確認できないので、自分以外を撮影していると判断する。
【００３１】
従って、図４で説明したように上側と下側のベースが閉じている時は、上側ベースと下側ベースが開いている時よりもフラトシュライト１４の輝度を小さく設定する。このようにフラッシュライト１４の照度を最適に調整することにより、フラッシュライト１４の消費電力を低減することができる。
【００３２】
（第３の実施形態）
図６は本発明の第３の実施形態を示すブロック図である。本実施形態では、カメラ用のフラッシュライトを懐中電灯等の用途として使用する場合、照度を段階別に調整し、必要以上の照射を抑え、省電力化することを特徴とする。なお、図６では図４と同一部分は同一符号を付して説明を省略する。
【００３３】
懐中電灯モード切替部１７は、ＣＰＵ１の制御に基づいてフラッシュライト１４をカメラ１０の撮影時のフラッシュとして使用するのか、懐中電灯として使用するのかを切り替える切り替え部である。ＣＰＵ１は後述するようにフラッシュライト１４を懐中電灯として使用する場合には、フラッシュライト制御部１５を制御し、フラッシュライト１４の明るさを複数段階に調整する。それ以外の構成は図４と同様である。
【００３４】
図７は本実施形態の動作を示すフローチャートである。まず、ユーザーからの入力に基づいてフラッシュライト１４を使用するのかどうかを判断する（Ｓ７０１）。フラッシュライト１４を使用する場合には、懐中電灯として使用するのか、カメラ１０のフラッシュとして使用するのか使用モードを判断する（Ｓ７０２）。懐中電灯として使用する場合には、消費電力が最も少ない状態(フラッシュライトの照度が最暗)で照射を行う（Ｓ７０３）。即ち、フラッシュライト１４の照度はフラッシュライト１５の制御により複数段階に可変できるようになっており、そのうちの最低照度で点灯する。
【００３５】
次いで、ユーザーからの入力に基づいて照度の上昇が必要かどうかを判断し（Ｓ７０４）、照度の上昇が必要ない場合には、現在の照度で照射を行う（Ｓ７０５）。一方、照度の上昇が指示された場合には、照度を１段階上昇させる（Ｓ７０６）。フラッシュライト１４の照度はＳ７０４とＳ７０６で所望の照度に調整する。
【００３６】
また、Ｓ７０２でカメラモードとしてフラッシュライト１４を使用する場合には、カメラ撮影に最適な照度でフラッシュライト１４を使用する（Ｓ７０７）。Ｓ７０７の処理は図４の省電力化処理と同様であるので詳しい説明は省略する。
【００３７】
本実施形態では、フラッシュライト１４を懐中電灯として使用する場合には、最も暗い状態(最も消費電力が少ない状態)から必要に応じて段階的に照度を上昇させるため、不必要に明るい状態で使用することが避けられ、消費電力が最適な状態でフラッシュライトを使用することが可能である。逆に、照度を段階的に暗くすると、必要な照度に到達するまでの消費電力が無駄となってしまう他、最初に最も明るい照度で照射すると、その照度に目が慣れる為、段階的に暗くした場合には、違和感を覚えてしまう。そのため、最も暗い状態から必要に応じて段階的に照度を上昇させることが効果的である。
【図面の簡単な説明】
【００３８】
【図１】本発明の第１の実施形態の構成を示すブロック図である。
【図２】図１の実施形態の動作を示すフローチャートである。
【図３】本発明の第２の実施形態の構成を示すブロック図である。
【図４】図３の実施形態の動作を示すフローチャートである。
【図５】第２の実施形態を折り畳み式携帯電話機に適用した場合のブロック図である。
【図６】本発明の第３の実施形態の構成を示すブロック図である。
【図７】図６の実施形態の動作を示すフローチャートである。
【符号の説明】
【００３９】
１  ＣＰＵ
２  ＲＡＭ
３  アンテナ
４  無線部
５  モデム
６  ＬＣＤ表示部
７  ＬＣＤ制御部
８  バックライト
９  ＲＯＭ
１０  カメラ
１１  カメラ制御部
１２  輝度制御部
１３  カメラ撮影モード検出部
１４  フラッシュライト
１５  フラッシュライト制御部
１６  開閉検出部
【図１】
2005130111.tif 000003
【図２】
2005130111.tif 000004
【図３】
2005130111.tif 000005
【図４】
2005130111.tif 000006
【図５】
2005130111.tif 000007
【図６】
2005130111.tif 000008
【図７】
2005130111.tif 000009